(57)【要約】【課題】ウォッシャノズルをワイパアーム側に設けたワイパ装置において、払拭面の湾曲態様が変わっても洗浄液の着水範囲の変化を小さく抑えること。【解決手段】ウォッシャノズル２１は、払拭面Ｇの払拭過程でのワイパアーム１１に対するワイパブレード１２の相対動作に対応して可動、具体的にはノズル部２３の払拭面Ｇとの高さＨ１、及びノズル部２３の噴射軸の払拭面Ｇとの成す角θ１が維持されるように可動可能に構成される。【選択図】図２
2018047855.tif 000002
【特許請求の範囲】
【請求項１】
往復回動されるワイパアームと、
前記ワイパアームの先端部に回動可能に連結され払拭面を払拭するワイパブレードと、
前記ワイパアームに取り付けられ前記払拭面に洗浄液を噴射するウォッシャノズルと
を備えたワイパ装置であって、
前記ウォッシャノズルは、前記ワイパアームに対して可動可能に取り付けられており、前記ワイパアームに対する前記ワイパブレードの相対動作に対応して可動するように構成されていることを特徴とするワイパ装置。
【請求項２】
請求項１に記載のワイパ装置において、
前記ウォッシャノズルは、自重作用により下端部が前記ワイパブレードに当接する状態が維持されるように可動可能に取り付けられていることを特徴とするワイパ装置。
【請求項３】
請求項１又は２に記載のワイパ装置において、
前記ウォッシャノズルは、前記洗浄液を噴射するノズル部の前記払拭面との高さ、及び前記ノズル部の噴射軸の前記払拭面との成す角が維持されるように可動可能に取り付けられていることを特徴とするワイパ装置。
【請求項４】
請求項１〜３の何れか１項に記載のワイパ装置において、
前記ウォッシャノズルは、前記ワイパブレードの基端部に対応する前記ワイパアームの基端側の部位に取り付けられていることを特徴とするワイパ装置。
【請求項５】
請求項１〜４の何れか１項に記載のワイパ装置において、
前記ワイパアームは、前記ウォッシャノズルの許容範囲以上の動作を規制する規制部を備えることを特徴とするワイパ装置。
【請求項６】
請求項１〜５の何れか１項に記載のワイパ装置において、
前記ウォッシャノズルは、自身に設けた装着溝に前記ワイパアームに設けた取付ピンが挿通されることで可動可能に取り付けられていることを特徴とするワイパ装置。
【請求項７】
請求項６に記載のワイパ装置において、
前記装着溝は、前記ワイパアームに対する前記ワイパブレードの回動軸を中心とする円弧溝部を有し、
前記ウォッシャノズルは、自身の前記円弧溝部に前記取付ピンが挿通されて前記回動軸を中心に可動可能に取り付けられていることを特徴とするワイパ装置。
【発明の詳細な説明】
【技術分野】
【０００１】
本発明は、洗浄液を噴射供給するウォッシャノズル付きのワイパ装置に関する。
【背景技術】
【０００２】
車両用ワイパ装置において、往復回動されるワイパアームと、そのワイパアームの先端部に連結されフロントガラスの払拭面を払拭するワイパブレードとを備え、払拭面に対して洗浄液を噴射供給するウォッシャノズルをワイパアームの先端部等に設けたものが知られている（例えば特許文献１参照）。
【０００３】
上記構成のものでは、車両のボンネットやカウルにウォッシャノズルを設けたものと比べてウォッシャノズルが払拭面に近い位置となり、払拭面に対してより近い位置から洗浄液を噴射供給することが可能となる。そのため、洗浄液の噴射が走行風等の影響を受け難くなり、払拭面上の狙った範囲に洗浄液を着水させることが期待できる。
【先行技術文献】
【特許文献】
【０００４】
【特許文献１】特開２０１５−２３１７９５号公報
【発明の概要】
【発明が解決しようとする課題】
【０００５】
払拭面に当接しているワイパブレードは、払拭面の湾曲態様に応じて追従するようにワイパアームに回動可能に連結されている。
そのため、ワイパアームにウォッシャノズルを設ける上記構成のものでは、払拭面の湾曲態様の変化に伴い、ワイパブレード（払拭面）に対するワイパアームの成す角が変化し、またワイパブレード（払拭面）に対するウォッシャノズルの取付部位の高さが変化する。つまり、払拭面に対するウォッシャノズルの噴射方向の角度が変化し、ウォッシャノズルの噴射位置が変化する。すると、ウォッシャノズルから噴射した洗浄液の払拭面上の着水範囲（拡がり形状）が変化してしまう。
【０００６】
因みに、ワイパブレード側にウォッシャノズルを設ける構成とした場合、上記問題が生じ難くなる一方で、ウォッシャノズルまで洗浄液を供給するためのホースの配索の問題や、ワイパブレードの交換時にウォッシャノズルとホースとの脱着作業の問題等が生じてしまう。
【０００７】
本発明は、上記課題を解決するためになされたものであって、その目的は、ウォッシャノズルをワイパアーム側に設けるものであり、払拭面の湾曲態様が変わっても洗浄液の着水範囲の変化を小さく抑えることができるワイパ装置を提供することにある。
【課題を解決するための手段】
【０００８】
上記課題を解決するワイパ装置は、往復回動されるワイパアームと、前記ワイパアームの先端部に回動可能に連結され払拭面を払拭するワイパブレードと、前記ワイパアームに取り付けられ前記払拭面に洗浄液を噴射するウォッシャノズルとを備えたワイパ装置であって、前記ウォッシャノズルは、前記ワイパアームに対して可動可能に取り付けられており、前記ワイパアームに対する前記ワイパブレードの相対動作に対応して可動するように構成されている。
【０００９】
この構成によれば、ワイパアームに対するワイパブレードの相対動作に対応して、ウォッシャノズルは可動する。つまり、払拭面の湾曲態様に対応してウォッシャノズルが可動するため、ノズル部から噴射された洗浄液の払拭面上での着水範囲の変化を小さく抑えられることが可能となる。
【００１０】
上記ワイパ装置において、前記ウォッシャノズルは、自重作用により下端部が前記ワイパブレードに当接する状態が維持されるように可動可能に取り付けられていることが好ましい。
【００１１】
この構成によれば、ウォッシャノズルは、自重作用による下端部のワイパブレードとの当接状態が維持されるように可動する構成としたため、簡素な構成にて実現可能である。
上記ワイパ装置において、前記ウォッシャノズルは、前記洗浄液を噴射するノズル部の前記払拭面との高さ、及び前記ノズル部の噴射軸の前記払拭面との成す角が維持されるように可動可能に取り付けられていることが好ましい。
【００１２】
この構成によれば、ウォッシャノズルは、洗浄液を噴射するノズル部の払拭面との高さ、及びノズル部の噴射軸の払拭面との成す角が維持されるように可動するため、払拭面上での洗浄液の着水範囲の変化をより確実に小さく抑えることが可能となる。
【００１３】
上記ワイパ装置において、前記ウォッシャノズルは、前記ワイパブレードの基端部に対応する前記ワイパアームの基端側の部位に取り付けられていることが好ましい。
この構成によれば、ウォッシャノズルは、ワイパブレードの基端部に対応するワイパアームの基端側の部位に取り付けられるため、ウォッシャノズルまで配策して車体側から洗浄液を供給するホースを短く構成でき、コスト低減等の効果が期待できる。
【００１４】
上記ワイパ装置において、前記ワイパアームは、前記ウォッシャノズルの許容範囲以上の動作を規制する規制部を備えることが好ましい。
この構成によれば、ウォッシャノズルの許容範囲以上の動作が規制部にて規制されるため、ウォッシャノズルの無用な可動を低減でき、払拭面上での洗浄液の着水範囲の変化をより確実に小さく抑えることが可能となる。
【００１５】
上記ワイパ装置において、前記ウォッシャノズルは、自身に設けた装着溝に前記ワイパアームに設けた取付ピンが挿通されることで可動可能に取り付けられていることが好ましい。
【００１６】
この構成によれば、ウォッシャノズルは、自身に設けた装着溝にワイパアームに設けた取付ピンが挿通されて可動する構成としたため、簡素な構成にて実現可能である。
上記ワイパ装置において、前記装着溝は、前記ワイパアームに対する前記ワイパブレードの回動軸を中心とする円弧溝部を有し、前記ウォッシャノズルは、自身の前記円弧溝部に前記取付ピンが挿通されて前記回動軸を中心に可動可能に取り付けられていることが好ましい。
【００１７】
この構成によれば、ウォッシャノズルは、自身の装着溝の円弧溝部に取付ピンが挿通されてワイパアームに対するワイパブレードの回動軸を中心に可動する構成としたため、ワイパブレードが回動してもワイパブレードとの位置関係にずれが生じ難い。これにより、払拭面上での洗浄液の着水範囲の変化をより確実に小さく抑えることが可能となる。
【発明の効果】
【００１８】
本発明のワイパ装置によれば、払拭面の湾曲態様が変わっても洗浄液の着水範囲の変化を小さく抑えることができる。
【図面の簡単な説明】
【００１９】
【図１】実施形態のワイパ装置の斜視図。
【図２】（ａ）（ｂ）はウォッシャノズルの動作説明のためのワイパ装置の側面図。
【発明を実施するための形態】
【００２０】
以下、ワイパ装置の一実施形態について説明する。
図１に示すように、本実施形態のワイパ装置は、車両のフロントガラスの表面（払拭面Ｇ）に付着した雨滴等を払拭するためのものであり、ワイパアーム１１と、ワイパアーム１１の先端連結部１１ａに連結され払拭面Ｇに接触配置されるワイパブレード１２とから構成されている。
【００２１】
ワイパブレード１２は、払拭面Ｇ上を払拭すべく払拭面Ｇと接触する長尺状のブレードラバー１３と、ブレードラバー１３を長手方向全体で支持する長尺状のブレード本体１４とを備える。ブレード本体１４は、長手方向中央部にて連結部材１５を介してワイパアーム１１の先端連結部１１ａと回動可能に連結し、ワイパアーム１１から受ける払拭面Ｇへの付勢力をブレードラバー１３の長手方向に分散させてブレードラバー１３を支持している。また、ブレード本体１４は、ブレードラバー１３が払拭面Ｇの湾曲態様に応じて追従して接触するようにワイパアーム１１に対して回動する。
【００２２】
ワイパアーム１１は、その基端部がワイパモータ（図示略）の駆動力にて所定角度で往復回動されるピボット軸（図示略）に固定され、該ピボット軸の往復回動に伴って往復揺動運動を行う。ワイパアーム１１は、ピボット軸に固定された基端部から先端側にかけてワイパブレード１２に対して略平行に延びている。ワイパアーム１１の先端連結部１１ａは、ワイパブレード１２の長手方向中央部に対し連結部材１５を介して着脱可能且つ回動可能に連結する。
【００２３】
ワイパアーム１１は、上壁部１６と、その上壁部１６の幅方向両端から払拭面Ｇ側に延びる一対の側壁部１７とを有した、払拭面Ｇ側に開口する断面逆Ｕ字状をなしている。ワイパアーム１１の先端連結部１１ａから若干基端側にずれた一方の側壁部１７の所定部位には、払拭面Ｇに対して洗浄液を噴射供給するためのウォッシャノズル２１が取り付けられている。ウォッシャノズル２１は、ワイパブレード１２（ブレード本体１４）の長手方向一端部、この場合、ワイパアーム１１の基端部側の端部（ワイパブレード１２の基端部）に位置している。
【００２４】
側壁部１７の一方側には、ウォッシャノズル２１を取り付けるための取付ピン１８がその側壁部１７から直交方向、即ちワイパブレード１２の回動軸Ｌ１方向の一方側に突出するように設けられている。取付ピン１８は、側壁部１７から円柱状に立設するピン本体部１８ａと、ピン本体部１８ａの先端部が円板状に拡径した拡径部１８ｂとを有する構成となっている。また、側壁部１７における取付ピン１８の両側（先端側及び基端側）には、ウォッシャノズル２１の姿勢（傾き）を規制する規制突起１９が設けられている。規制突起１９は、取付ピン１８と同じ方向に突出するように設けられており、ウォッシャノズル２１と接触することでウォッシャノズル２１の姿勢（傾き）を規制している。
【００２５】
ウォッシャノズル２１は、例えば扁平の略直方体形状にて構成されている。ウォッシャノズル２１は、自身の最も厚みの小さい方向がワイパアーム１１に設けた取付ピン１８の突出方向となるように配置され、自身に設けた装着溝２２に取付ピン１８（ピン本体部１８ａ）が挿通されて支持される。装着溝２２は、ウォッシャノズル２１の最も厚みの小さい方向に貫通すると共に、ウォッシャノズル２１の略中央部から上辺部２１ａ側（装着時）に延びて上辺部２１ａ側において開口している。装着溝２２は、取付ピン１８のピン本体部１８ａの直径より僅かに大きく、拡径部１８ｂの直径より小さい溝幅で円弧状をなす円弧溝部２２ａと、ウォッシャノズル２１の上辺部２１ａ近傍で円弧溝部２２ａよりも溝幅が小さく、ピン本体部１８ａの直径よりも溝幅が小さく絞られた幅狭部２２ｂとを有する構成となっている。
【００２６】
つまり、ウォッシャノズル２１は、ワイパアーム１１の下方から上方に向けて装着されるものであり、上辺部２１ａの開口部分から装着溝２２内に取付ピン１８のピン本体部１８ａが挿入され、幅狭部２２ｂを乗り越えて円弧溝部２２ａ内に挿入されることで、取付ピン１８に対して脱落不能に装着される。また、取付ピン１８の先端部は円弧溝部２２ａの溝幅よりも大きい拡径部１８ｂを有することから、ウォッシャノズル２１が取付ピン１８の先端側への脱落も防止された取付態様となっている。更に、円弧溝部２２ａの溝幅はピン本体部１８ａの直径よりも僅かに大きいことから、取付ピン１８に対してウォッシャノズル２１が円弧溝部２２ａに沿って可動できるようになっている。
【００２７】
また、このようなウォッシャノズル２１の取付ピン１８に対する取付態様において、ウォッシャノズル２１の下辺部２１ｂがワイパブレード１２の基端側の端部の上面、例えばワイパブレード１２の端部に装着される端部キャップ１２ａの上面に載置（当接）されるようにもなっている。つまり、ワイパブレード１２がワイパアーム１１に対して可動（相対的な角度変化や距離の変化）するような場合、ワイパブレード１２と同期してウォッシャノズル２１が円弧溝部２２ａに沿って可動するようになっている。
【００２８】
ウォッシャノズル２１においてワイパアーム１１の先端側に向いた側辺部２１ｃには、ノズル部２３が設けられている。ノズル部２３は、ワイパアーム１１の側壁部１７間に配策されたホース２４と接続され、車体側からの洗浄液Ｗの供給を受けて払拭面Ｇにその洗浄液Ｗをスプレー状に噴射供給する。本実施形態のノズル部２３から噴射される洗浄液Ｗの払拭面Ｇ上の着水範囲Ａは、ワイパブレード１２の幅方向（払拭方向）一方側で、ワイパブレード１２の長手方向中央部より若干基端側の範囲に設定されている。洗浄液Ｗの着水範囲Ａをワイパブレード１２の基端側とすると、走行風等の影響によりワイパブレード１２の先端側を超えて払拭範囲外に飛散する無駄な洗浄液Ｗの低減が図れる。
【００２９】
次に、本実施形態のワイパ装置の動作（作用）を説明する。
払拭面Ｇに汚れが付着した時等、ウォッシャポンプ（図示略）が動作されてホース２４からウォッシャノズル２１に洗浄液Ｗが供給され、ノズル部２３から払拭面Ｇの着水範囲Ａにスプレー状に噴射供給される。ワイパアーム１１及びワイパブレード１２が払拭動作を伴う場合、ワイパアーム１１の回動動作に伴い洗浄液Ｗの着水範囲Ａも移動する。
【００３０】
また、ワイパブレード１２の払拭過程では払拭面Ｇの湾曲態様が変化するため、図２（ａ）（ｂ）に示すように、ワイパブレード１２とワイパアーム１１との相対角度が変化する。尚、図２（ａ）は、ワイパブレード１２の基端部とワイパアーム１１とが最も近接した状態を示し、図２（ｂ）は、ワイパブレード１２の基端部とワイパアーム１１とが最も離間した状態を示している。
【００３１】
本実施形態のウォッシャノズル２１は、ワイパアーム１１の側壁部１７に設けた取付ピン１８（ピン本体部１８ａ）に自身の装着溝２２（円弧溝部２２ａ）が挿通されて可動可能に支持されているため、図２に示すように払拭面Ｇの湾曲態様が変化してワイパブレード１２とワイパアーム１１との関係（ワイパブレード１２に対するワイパアーム１１の成す角等）が変化しても、自重により自身の下辺部２１ｂがワイパブレード１２の基端部（端部キャップ１２ａ）の上面と当接する状態が維持される。
【００３２】
つまり、ウォッシャノズル２１のノズル部２３の払拭面Ｇとの高さＨ１が略一定となり、またノズル部２３の噴射軸の払拭面Ｇとの成す角θ１が略一定となるようにウォッシャノズル２１が若干回転して姿勢が変化する。これにより、図２に示すように払拭面Ｇの湾曲態様が変化してワイパブレード１２とワイパアーム１１との関係が変化しても、ノズル部２３から噴射供給された洗浄液Ｗの払拭面Ｇ上の着水範囲Ａ（図１参照）の変化は小さく抑えられ、いつでも好適な拡がり形状とすることが可能となっている。
【００３３】
次に、本実施形態の特徴的な効果を記載する。
（１）ウォッシャノズル２１は、払拭面Ｇの払拭過程でのワイパアーム１１に対するワイパブレード１２の相対動作に対応して可動、具体的には洗浄液Ｗを噴射するノズル部２３の払拭面Ｇとの高さＨ１、及びノズル部２３の噴射軸の払拭面Ｇとの成す角θ１が維持されるように可動する。そのため、払拭面Ｇの湾曲態様が変化してワイパブレード１２とワイパアーム１１との関係が変化しても、払拭面Ｇ上での洗浄液Ｗの着水範囲Ａ（拡がり形状）の変化をより確実に小さく抑えることができ、払拭面Ｇの洗浄を効果的に行うことに繋がる。
【００３４】
（２）ウォッシャノズル２１は、自重作用による下辺部２１ｂのワイパブレード１２との当接状態が維持されるように可動する構成としたため、簡素な構成にて実現することができる。
【００３５】
（３）ウォッシャノズル２１は、ワイパブレード１２の基端部（端部キャップ１２ａ）に対応するワイパアーム１１の基端側の部位に取り付けられるため、ウォッシャノズル２１まで配策して車体側から洗浄液Ｗを供給するホース２４を短く構成でき、コスト低減等の効果が期待できる。
【００３６】
（４）ウォッシャノズル２１の許容範囲以上の動作（回動）が規制突起１９にて規制されるため、ウォッシャノズル２１の無用な可動（回動）を低減でき、払拭面Ｇ上での洗浄液Ｗの着水範囲Ａの変化をより確実に小さく抑えることに繋がる。
【００３７】
（５）ウォッシャノズル２１は、自身に設けた装着溝２２にワイパアーム１１に設けた取付ピン１８が挿通されて可動する構成としたため、簡素な構成にて実現することができる。
【００３８】
（６）ウォッシャノズル２１は、自身の装着溝２２の円弧溝部２２ａに取付ピン１８（ピン本体部１８ａ）が挿通されてワイパアーム１１に対するワイパブレード１２の回動軸Ｌ１を中心に可動する構成としたため、ワイパブレード１２が回動してもワイパブレード１２との位置関係にずれが生じ難い。これにより、払拭面Ｇ上での洗浄液Ｗの着水範囲Ａの変化をより確実に小さく抑えることに繋がる。
【００３９】
尚、上記実施形態は、以下のように変更してもよい。
・ウォッシャノズル２１をワイパブレード１２の基端部（端部キャップ１２ａ）の上面に載置（当接）させたが、当接位置はこれに限らない。また、ウォッシャノズル２１をワイパブレード１２と連結してもよい。また、ワイパブレード１２の回動は、払拭面Ｇの湾曲態様に応じたものであるため、ウォッシャノズル２１を払拭面Ｇ上に直接接触させる態様としてもよい。この場合、ウォッシャノズル２１の払拭面Ｇとの接触面に保護部材を設けることが好ましい。
【００４０】
・ウォッシャノズル２１は、扁平の略直方体形状にて構成されているとしたが、これに限定されることはない。例えば、側辺部２１ｃが側面視で円弧状をなすような形状にしてもよい。
【００４１】
・ウォッシャノズル２１を装着溝２２と取付ピン１８とで可動可能に取り付けたが、取付態様はこれに限らない。例えば、装着溝２２の形状を適宜変更してもよく、円弧溝部２２ａを直線溝部としてもよい。また、装着溝２２をウォッシャノズル２１の上辺部２１ａで開口する形状としていたが、開口していなくてもよい。この場合、取付ピン１８のピン本体部１８ａと拡径部１８ｂとを別体組み付けとする。また、取付ピン１８（ピン本体部１８ａ）を円柱状でなく、多角形状としてもよい。
【００４２】
・側壁部１７における取付ピン１８の両側にウォッシャノズル２１の姿勢（傾き）を規制する規制突起１９を設けたが、規制突起１９を設けない構成としてもよい。また、規制突起１９の形状に限定はなく、ウォッシャノズル２１の姿勢（傾き）を規制することができればどのような形状でも構わない。
【００４３】
・ノズル部２３の払拭面Ｇとの高さＨ１と、ノズル部２３の噴射軸の払拭面Ｇとの成す角θ１を維持できるようにウォッシャノズル２１を可動可能に構成したが、その何れか一方のみ可動する態様であってもよい。
【符号の説明】
【００４４】
１１…ワイパアーム、１１ａ…先端連結部（先端部）、１２…ワイパブレード、１８…取付ピン、１９…規制突起（規制部）、２１…ウォッシャノズル、２１ｂ…下辺部（下端部）、２２…装着溝、２２ａ…円弧溝部、２３…ノズル部、Ａ…着水範囲、Ｇ…払拭面、Ｈ１…高さ、Ｌ…回動軸、Ｗ…洗浄液、θ１…成す角。
【図１】
2018047855.tif 000003
【図２】
2018047855.tif 000004